(57)【要約】      （修正有）【課題】操作レバーによりガスコックの開閉を行うガス器具を提供する。【解決手段】ガス器具の前面に形成した操作レバー１に支柱用穴を形成、その端面に扇形ギア２１を水平に形成、支柱用穴には支柱固定金具４に垂直形成された支柱２で自在に駆動する。水平に形成されたガスコック主軸６にはギア２２を垂直に装着形成、ギアと扇型ギアを連結して、操作レバーが左の時点でギアは閉０°になる。ギアが１５０°左に回転した位置で点火されると共にガスコックに装備されたスプリングで１５°戻り、１３５°で強火、８５°で中火、４５°で弱火に形成した。【選択図】図１１
2018013320.tif 000002
【特許請求の範囲】
【請求項１】
ガス器具の前面に形成した操作レバー１に支柱用穴を形成、その端面に扇形ギア２１を水平に形成、前記支柱用穴には支柱固定金具４に垂直形成された支柱２で自在に駆動する、前記、水平に形成されたガスコック主軸６には、ギア２２を垂直に装着形成、前記ギア２２と前記扇型ギア２１は、連結する、操作レバー１が左の時点でギア２２は閉０°になり、ギア２２が１５０°左に回転で点火されるガスコック５に装備されたスプリングで１５°戻り、ギア２２が１３５°で強火、８５°で中火、４５°で弱火に形成、前記ガスコック５の開閉をガス器具における操作レバー１による点火装置の製造方法
【請求項２】
ガス器具の前面に形成した操作レバー１に支柱２用穴を形成、前記後方に楕円穴を形成、前記支柱２用穴には支柱固定金具４に垂直形成された支柱２で自在に駆動する、前記楕円穴には第２レバー８を、駆動させる第２支柱７を垂直に装着。前記、ガスコック固定板９に、垂直に形成されたガスコック主軸６には、第２レバー８を水平に装着形成、、前記第２レバー８と第２支柱７は固定し、操作レバー１と第２レバー７は、梃子の原理で駆動する、前記、操作レバー１が左の時点で主軸６は閉０°に形成、主軸６が１５０°左に回転で点火される。ガスコック５に、装備されたスプリングで、１５°戻り、１３５°で強火、８５°で中火、４５°で弱火に形成、前記、ガスコック５の開閉をガス器具における操作レバー１による点火装置の製造方法。
【発明の詳細な説明】
【技術分野】
【０００１】本発明は、ガス器具における操作レバーにより、ガスコックの開閉を行うものである。
【背景技術】
【０００２】従来のガス器具における操作レバーによる点火装置の製造方法は、（特開平０６−１０１８４２号広報参照）
【先行技術文献】
【特許文献】
【０００３】
【特許文献１】特開平０６−１０１８４２号広報
【発明の概要】
【発明が解決しようとする課題】
【０００４】従来の操作レバーによる点火装置にあっては、ワイヤー操作である為、ワイヤーの延びが、ある。【０００５】器具と操作レバーの距離が短いとワイヤーの曲がりが小径に成り、駆動しにくい。【０００６】その為に器具の反対側に取り付けをしていた。【０００７】後ろ側は狭い空間になり器具の調節をするにしろ前面（操作レバー部）と（ノズル側）を何度も往復する。【０００８】遠隔の為一人では修理が大変である。【０００９】長めのワイヤーを使用する為ワイヤーの遊びがあり器具の内部に納まらない。【００１０】商品と修理費が高価になる本発明は、以上のような欠点をなくすためになされたものである。
【課題を解決するための手段】
【００１１】ガス器具の操作レバーとガスコックを、直接開閉させる。ガス器具の前面に形成した操作レバーに支柱用穴を形成、その端面に扇形ギアを水平に形成、前記支柱用穴には支柱固定金具に垂直形成された支柱で自在に駆動する、前記、水平に形成されたガスコック主軸には、ギアを垂直に装着形成、前記ギアと前記扇型ギアは、連結する、操作レバーが左の時点でギアは閉０°になり、ギアが１５０°左に回転で点火されるガスコックに装備されたスプリングで１５°戻り、１３５°で強火、８５°で中火、４５°で弱火に形成、前記ガスコックの開閉をガス器具における操作レバーによる点火が簡単に行うものである。【００１２】    ガス器具の前面に形成した操作レバーに支柱用穴を形成、前記後方に楕円穴を形成、前記支柱用穴には支柱固定金具に垂直形成された支柱で自在に駆動する、前記楕円穴には、第２レバーを、駆動させる第２支柱を垂直に装着。前記、ガスコック固定板に、垂直に形成されたガスコックの主軸には第２レバーを装着形成、前記第２レバーと第２支柱は固定し、操作レバーと第２レバーは、梃子の原理で駆動する、前記、操作レバーが左の時点で主軸は閉０°に形成、主軸が１５０°左に回転で点火されるガスコックに装備されたスプリングで１５°戻り、１３５°で強火、８５°で中火、４５°で弱火に形成、前記ガスコックの開閉をガス器具における操作レバーによる点火が簡単に行うものである・
【発明の効果】
【００１３】本発明は、大型ガス器具のみならず小型ガス器具にも、使用可能にした。
既製のガスコックを使用する為。修理が簡単出来る
高度な知識がなくても、従来道理に扱える
【図面の簡単な説明】
【００１４】
【図１】本発明ガスコック器具の操作レバーとガスコック設置状態を示す概略図である。
【図２】本発明に係るガス器具の操作レバーとガスコック設置状態を示す概略図である。
【図３】図１の要部拡大図である。
【図４】図２の要部拡大図である。
【図５】図２の要部平面拡大図でガスコックの主軸が閉を示す図である。
【図６】図２の要部平面拡大図でガスコックの主軸が弱火を示す図である。
【図７】図２の要部平面拡大図でガスコックの主軸が中火を示す図である。
【図８】図２の要部平面拡大図でガスコックの主軸が強火を示す図である。
【図９】図２の要部平面拡大図でガスコックの主軸が点火を示す図である。
【図１０】図１のガス器具の斜視図を示す図である。
【図１１】図１の要部斜視略拡大図でガスコックの主軸が閉を示す図である。
【図１２】図１の要部斜視略拡大図でガスコックの主軸が弱火を示す図である。
【図１３】図１の要部斜視略拡大図でガスコックの主軸が中火を示す図である。
【図１４】図１の要部斜視略拡大図でガスコックの主軸が強火を示す図である。
【図１５】図１の要部斜視略拡大図でガスコックの主軸が点火を示す図である。
【符号の説明】
【００１５】１操作レバー
２支柱
３つまみ
４支柱固定金具
５ガスコック
６主軸
７第２支柱
８第２レバー
９ガスコック固定板
１０ガスコック固定ビス
１１ガードカバー
１２ガス導管
１３ノズル
１４レギュレター
１５バーナー
１６水槽
１７外釜本体
１８トップフード
１９トップリング
２０天板
２１扇型ギア
２２ギア
２３五徳
２４コックボックス
【発明を実施するための形態】
【００１６】以下、本発明を実施するための形態について説明する。
操作レバーの先端には扇形ギア形成し、前記操作レバーに支柱を芯に駆動し水平に形成されたガスコックの主軸に垂直に形成されたギアを、駆動させ、ガスコックの開閉を行う。
操作レバーに支柱用の穴と第２支柱用の楕円穴を形成し、垂直に形成されたガスコックの主軸には第２レバーを装着、前記第２レバーに第２支柱を固定、操作レバーを支点にして第２支柱を駆動させ第２レバーにより主軸を、駆動させ、ガスコックの開閉を行う。本発明は以上のような構造である。
本発明を使用するときは
【実施例】
【００１７】業務用外食産業で使用
【産業上の利用可能性】
【００１８】多機種のガス器具に使用可能である。
【符号の説明】
【００１９】１操作レバー
２支柱
４支柱固定金具
５ガスコック
６主軸
７第２支柱
８第２レバー
９ガスコック固定板
１０ガスコック固定ビス
１３ノズル
１５バーナー
２１扇型ギア
２２ギア
【図１】
2018013320.tif 000003
【図２】
2018013320.tif 000004
【図３】
2018013320.tif 000005
【図４】
2018013320.tif 000006
【図５】
2018013320.tif 000007
【図６】
2018013320.tif 000008
【図７】
2018013320.tif 000009
【図８】
2018013320.tif 000010
【図９】
2018013320.tif 000011
【図１０】
2018013320.tif 000012
【図１１】
2018013320.tif 000013
【図１２】
2018013320.tif 000014
【図１３】
2018013320.tif 000015
【図１４】
2018013320.tif 000016
【図１５】
2018013320.tif 000017